(57)【要約】【課題】操作性を高めることができるリモコン補助具を提供する。【解決手段】操作ボタン２４ａ〜２４ｈを有するリモコン２０の操作を補助するためのリモコン補助具２２であって、リモコン２０に着脱自在に取り付けられる取付部３８と、その幅方向に対して略垂直な方向に延びる軸５８を中心に、取付部３８に揺動自在に支持された第１の操作部４０と、第１の操作部４０の裏面から突出し、第１の操作部４０が揺動した際に操作ボタン２４ｅ（２４ｆ）を押圧するための第１の押圧部７２（７４）と、第１の操作部４０の表面から起立するレバー部７６と、を備える。【選択図】図２
2016095989.tif 000002
【特許請求の範囲】
【請求項１】
操作ボタンを有するリモコンの操作を補助するためのリモコン補助具であって、
前記リモコンに着脱自在に取り付けられる取付部と、
その幅方向に対して略垂直な方向に延びる第１の軸を中心に、前記取付部に揺動自在に支持された第１の操作部と、
前記第１の操作部の裏面から突出し、前記第１の操作部が揺動した際に前記操作ボタンを押圧するための第１の押圧部と、
前記第１の操作部の表面から起立するレバー部と、を備える
リモコン補助具。
【請求項２】
前記第１の操作部の幅方向における両端部はそれぞれ、前記取付部の幅方向における両端部よりも内側に配置されている
請求項１に記載のリモコン補助具。
【請求項３】
前記第１の押圧部は一対設けられ、
前記一対の第１の押圧部は、前記第１の操作部の幅方向に間隔を置いて配置され、
前記第１の軸及び前記レバー部の各々は、前記一対の第１の押圧部の間に配置されている
請求項１又は２に記載のリモコン補助具。
【請求項４】
前記レバー部は、前記第１の操作部の幅方向に厚みを有する板状に形成されている
請求項１〜３のいずれか１項に記載のリモコン補助具。
【請求項５】
前記リモコン補助具は、さらに、
その幅方向に対して略垂直な方向に延び且つ前記第１の軸と略平行に延びる第２の軸を中心に、前記取付部に揺動自在に支持された第２の操作部と、
前記第２の操作部の裏面から突出し、前記第２の操作部が揺動した際に前記操作ボタンを押圧するための第２の押圧部と、を備え、
前記第２の操作部の幅方向における両端部はそれぞれ、前記取付部の幅方向における両端部よりも外側に配置されている
請求項１〜４のいずれか１項に記載のリモコン補助具。
【請求項６】
前記第１の操作部及び前記第２の操作部は、前記取付部の幅方向に対して略垂直な方向に隣接して配置されている
請求項５に記載のリモコン補助具。
【請求項７】
前記取付部は、前記リモコンに取り付けられた際に、前記操作ボタンを前記取付部の外部に露出させるための窓孔を有する
請求項１〜６のいずれか１項に記載のリモコン補助具。
【請求項８】
前記リモコン補助具は、さらに、前記窓孔に着脱自在に取り付けられ、前記窓孔を閉塞するための閉塞部材を備える
請求項７に記載のリモコン補助具。
【請求項９】
操作面に操作ボタンが配置されたリモコンと、
前記リモコンに着脱自在に取り付けられた、請求項１〜８のいずれか１項に記載のリモコン補助具と、を備える
リモコン装置。
【請求項１０】
前記リモコンの前記操作面と反対側の背面において、前記リモコンの幅方向における両端部にはそれぞれ一対の凹部が形成され、
前記リモコン補助具の取付部は、
前記リモコンの前記操作面の一部を覆うように装着される装着部と、
前記装着部の幅方向における両端部からそれぞれ前記リモコンを抱きかかえるように延びる一対の脚部と、
前記一対の脚部の各々の先端部に設けられ、前記一対の凹部に引っ掛かる一対の爪部と、を有する
請求項９に記載のリモコン装置。
【請求項１１】
ボトムと、
前記ボトムの姿勢又は高さを操作するための、請求項９又は１０に記載のリモコン装置と、を備える
電動ベッド。
【請求項１２】
前記電動ベッドは、さらに、前記電動ベッドの脇に配置され、略水平方向に延びるレールを備え、
前記リモコンは、さらに、前記リモコンの前記操作面と反対側の背面に設けられ、前記リモコンの前記背面との間で前記レールをスライド自在に挟持するフック部を備える
請求項１１に記載の電動ベッド。
【発明の詳細な説明】
【技術分野】
【０００１】
本発明は、リモコン補助具、リモコン装置及び電動ベッドに関する。
【背景技術】
【０００２】
病院、介護施設又は一般家庭等で使用される電動ベッドが知られている。電動ベッドには、ボトムの姿勢及び高さを操作するためのリモコンが付属されている。リモコンの操作面には、複数の操作ボタンが配置されている。ユーザが操作ボタンを押圧する（押し下げる）ことにより、ボトムの姿勢及び高さをユーザの好みの姿勢及び高さに調節することができる。
【０００３】
例えばリウマチ又はパーキンソン病等を患う身体の不自由なユーザが電動ベッドを使用する場合がある。近年、このような身体の不自由なユーザによるリモコンの操作を補助するためのリモコン補助具が提案されている（例えば、特許文献１参照）。従来のリモコン補助具は、リモコンに着脱自在に取り付けられる取付部と、取付部に揺動自在に支持された操作部とを有している。操作部は、リモコンの操作ボタンよりも大きく、且つ、扁平状に形成されている。この操作部の一端部を押圧して操作部を揺動させることにより、操作ボタンが操作部により押圧される。
【先行技術文献】
【特許文献】
【０００４】
【特許文献１】実公平６−３７５５６号公報
【発明の概要】
【発明が解決しようとする課題】
【０００５】
しかしながら、上述した従来のリモコン補助具では、例えば身体の不自由なユーザが握り拳又は手の甲等で操作部の一端部を正確に押圧するのは難しく、操作性が良いとは言えないという課題がある。
【０００６】
本発明は、このような課題に鑑みてなされたものであり、操作性を高めることができるリモコン補助具、リモコン装置及び電動ベッドを提供することを目的とする。
【課題を解決するための手段】
【０００７】
上記課題を解決するために、本発明の一態様に係るリモコン補助具は、操作ボタンを有するリモコンの操作を補助するためのリモコン補助具であって、前記リモコンに着脱自在に取り付けられる取付部と、その幅方向に対して略垂直な方向に延びる第１の軸を中心に、前記取付部に揺動自在に支持された第１の操作部と、前記第１の操作部の裏面から突出し、前記第１の操作部が揺動した際に前記操作ボタンを押圧するための第１の押圧部と、前記第１の操作部の表面から起立するレバー部と、を備える。
【発明の効果】
【０００８】
本発明の一態様に係るリモコン補助具等によれば、操作性を高めることができる。
【図面の簡単な説明】
【０００９】
【図１】実施の形態１に係る電動ベッドを示す斜視図
【図２】実施の形態１に係るリモコン装置を示す斜視図
【図３】実施の形態１に係るリモコン装置を示す分解斜視図
【図４】リモコン装置がサイドレールのレールに取り付けられた状態を示す斜視図
【図５】リモコン補助具を示す分解斜視図
【図６Ａ】図２のＶＩ−ＶＩ線断面図
【図６Ｂ】図６Ａの状態から、ユーザが第１の操作部を操作した状態を示す断面図
【図７Ａ】図２のＶＩＩ−ＶＩＩ線（ＶＩＩ’−ＶＩＩ’線）断面図
【図７Ｂ】図７Ａの状態から、ユーザが第２の操作部を操作した状態を示す断面図
【図８】図２のＶＩＩＩ−ＶＩＩＩ線断面図
【図９】実施の形態１の変形例１に係るリモコン装置を示す斜視図
【図１０】実施の形態１の変形例２に係るリモコン装置を示す斜視図
【図１１】実施の形態１の変形例２に係るリモコン装置を示す分解斜視図
【図１２】実施の形態１の変形例３に係るリモコン装置を示す斜視図
【図１３】実施の形態１の変形例３に係るリモコン装置を示す分解斜視図
【図１４】実施の形態１の変形例４に係るリモコン装置を示す斜視図
【図１５】実施の形態１の変形例４に係るリモコン装置を示す分解斜視図
【図１６】実施の形態２に係るリモコン装置を示す斜視図
【図１７】実施の形態２に係るリモコン装置を示す分解斜視図
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態１）
以下、実施の形態１に係るリモコン補助具２２、リモコン装置１２及び電動ベッド２について説明する。
【００１３】
［１−１．電動ベッドの構成］
まず、図１を参照しながら、実施の形態１に係る電動ベッド２の構成について説明する。図１は、実施の形態１に係る電動ベッド２を示す斜視図である。
【００１４】
図１に示すように、本実施の形態の電動ベッド２は、例えば病院、介護施設又は一般家庭等で使用される電動式のベッドである。この電動ベッド２は、フレーム４、サイドレール６、ボトム８、調節機構１０及びリモコン装置１２を備えている。
【００１５】
フレーム４は、全体として略長方形状に形成された金属製の枠体である。フレーム４の長手方向（Ｘ軸方向）における両端部にはそれぞれヘッドボード１４及びフットボード１６が固定されている。
【００１６】
サイドレール６は、金属製のパイプで形成され、フレーム４の短手方向（Ｙ軸方向）における一端部に固定されている。サイドレール６は、電動ベッド２の脇、より具体的には、フレーム４の長手方向における中央部よりもヘッドボード１４側に配置されている。サイドレール６の上端部には、略水平方向（Ｘ軸方向）に直線状に延びるレール６ａが配置されている。
【００１７】
ボトム８は、横臥したユーザの身体を支持するためのものであり、フレーム４上に支持されている。ボトム８は、蝶番等で互いに回動自在に連結された背ボトム８ａ、腰ボトム８ｂ、膝ボトム８ｃ及び足ボトム８ｄを有している。背ボトム８ａは、ユーザの頭部及び背部を支持するためのものである。腰ボトム８ｂは、ユーザの腰部を支持するためのものである。膝ボトム８ｃは、ユーザの大腿部を支持するためのものである。足ボトム８ｄは、ユーザの下腿部及び足部を支持するためのものである。
【００１８】
調節機構１０は、リモコン装置１２のリモコン２０（後述する）から送信されてきたリモコン信号に基づいて、ボトム８の姿勢及び高さを調節するための機構である。調節機構１０は、フレーム４の下側に配置されており、例えば電動アクチュエータを含む駆動機構及び当該駆動機構を制御するための制御回路等を有している。
【００１９】
リモコン装置１２は、ボトム８の姿勢及び高さを操作するための手元スイッチであり、通信ケーブル１８を介して調節機構１０と接続されている。リモコン装置１２は、例えばサイドレール６のレール６ａに着脱自在に取り付けられる。ユーザがリモコン装置１２を操作することにより、ボトム８の姿勢及び高さをユーザの好みの姿勢及び高さに調節することができる。リモコン装置１２の構成及び操作方法については後述する。
【００２０】
［１−２．リモコン装置の構成］
次に、図２〜図８を参照しながら、リモコン装置１２の構成について説明する。図２は、実施の形態１に係るリモコン装置１２を示す斜視図である。図３は、実施の形態１に係るリモコン装置１２を示す分解斜視図である。図４は、リモコン装置１２がサイドレール６のレール６ａに取り付けられた状態を示す斜視図である。図５は、リモコン補助具２２を示す分解斜視図である。図６Ａは、図２のＶＩ−ＶＩ線断面図である。図６Ｂは、図６Ａの状態から、ユーザが第１の操作部４０を操作した状態を示す断面図である。図７Ａは、図２のＶＩＩ−ＶＩＩ線（ＶＩＩ’−ＶＩＩ’線）断面図である。図７Ｂは、図７Ａの状態から、ユーザが第２の操作部４２（４４）を操作した状態を示す断面図である。図８は、図２のＶＩＩＩ−ＶＩＩＩ線断面図である。
【００２１】
図２及び図３に示すように、リモコン装置１２は、リモコン２０と、リモコン２０の操作を補助するためのリモコン補助具２２とを有している。以下、リモコン２０及びリモコン補助具２２の各構成について説明する。
【００２２】
［１−２−１．リモコンの構成］
まず、図２〜図４を参照しながら、リモコン２０の構成について説明する。図３に示すように、リモコン２０の操作面２０ａには、略矩形状の複数（８個）の操作ボタン２４ａ〜２４ｈが格子状に配置されている。複数の操作ボタン２４ａ〜２２ｈは、電源ボタン２４ａ、切換ボタン２４ｂ、頭／背足連動上昇ボタン２４ｃ、頭／背足連動下降ボタン２４ｄ、足上昇ボタン２４ｅ、足下降ボタン２４ｆ、高さ上昇ボタン２４ｇ及び高さ下降ボタン２４ｈを含んでいる。なお、後述する図６Ａ〜図８に示すように、複数の操作ボタン２４ａ〜２４ｈの各々は、操作面２０ａに形成された略矩形状の貫通孔２６に押圧（押し下げ）自在に配置されている。
【００２３】
電源ボタン２４ａは、調節機構１０の電源をオン又はオフさせるための操作ボタンである。切換ボタン２４ｂは、非連動モードと連動モードとを切り換えるための操作ボタンである。非連動モードは、頭／背足連動上昇ボタン２４ｃ及び頭／背足連動下降ボタン２４ｄを、背ボトム８ａのみを対象として機能させるモードである。連動モードは、頭／背足連動上昇ボタン２４ｃ及び頭／背足連動下降ボタン２４ｄを、背ボトム８ａ及び膝ボトム８ｃの両方を対象として機能させるモードである。
【００２４】
頭／背足連動上昇ボタン２４ｃは、背ボトム８ａを起こす（非連動モード時）、又は、背ボトム８ａを起こすと同時に膝ボトム８ｃと足ボトム８ｄとの連結箇所を上昇させる（連動モード時）ための操作ボタンである。頭／背足連動下降ボタン２４ｄは、背ボトム８ａを倒す（非連動モード時）、又は、背ボトム８ａを倒すと同時に膝ボトム８ｃと足ボトム８ｄとの連結箇所を下降させる（連動モード時）ための操作ボタンである。
【００２５】
足上昇ボタン２４ｅは、膝ボトム８ｃと足ボトム８ｄとの連結箇所を上昇させるための操作ボタンである。足下降ボタン２４ｆは、膝ボトム８ｃと足ボトム８ｄとの連結箇所を下降させるための操作ボタンである。
【００２６】
高さ上昇ボタン２４ｇは、ボトム８全体を上昇させるための操作ボタンである。高さ下降ボタン２４ｈは、ボトム８全体を下降させるための操作ボタンである。
【００２７】
後述する図６Ａ〜図８に示すように、リモコン２０の内部には、配線基板２８が配置されている。配線基板２８には、リモコン信号を生成するための制御回路を構成する複数の電子部品、例えば複数のタクタイルスイッチ３０等が実装されている。複数のタクタイルスイッチ３０の各々は、上述した複数の操作ボタン２４ａ〜２４ｈの各々に対応して配置されている。例えば電源ボタン２４ａを押圧した際には、電源ボタン２４ａに対応するタクタイルスイッチ３０が電源ボタン２４ａにより押圧される。これにより、調節機構１０の電源をオン又はオフさせるためのリモコン信号が、リモコン２０から通信ケーブル１８を介して調節機構１０に送信される。
【００２８】
リモコン２０の操作面２０ａには、さらに、表示部３２が配置されている。表示部３２は、例えば文字、数値、記号及び画像等をカラー表示する液晶表示モジュールである。図２に示すように、表示部３２には、例えばボトム８の姿勢及び高さの各設定値等が表示される。
【００２９】
図４に示すように、リモコン２０の背面２０ｂ（操作面２０ａと反対側の面）には、樹脂等で形成されたフック部３４が取り付けられている。フック部３４は、サイドレール６のレール６ａに着脱自在に引っ掛けられる。ここで、フック部３４の構成について具体的に説明する。フック部３４は、リモコン２０の背面２０ｂから略垂直に延びる第１の部分３４ａと、第１の部分３４ａの端部から略円弧状に湾曲して延びる第２の部分３４ｂと、第２の部分３４ｂの端部からリモコン２０の背面２０ｂに沿って延びる第３の部分３４ｃとを有している。
【００３０】
フック部３４に力が加えられていない状態では、リモコン２０の背面２０ｂと第２の部分３４ｂとの間の距離はレール６ａの直径と略等しく、リモコン２０の背面２０ｂと第３の部分３４ｃとの間の距離はレール６ａの直径よりも小さい。そのため、フック部３４をレール６ａに引っ掛ける際には、第３の部分３４ｃをリモコン２０の背面２０ｂから手で引き離しながら、リモコン２０の背面２０ｂと第２の部分３４ｂとの間にレール６ａを挿入する。その後、第３の部分３４ｃから手を放すことにより、第３の部分３４ｃが弾性復元力により元の位置に復帰する。これにより、レール６ａがリモコン２０の背面２０ｂと第２の部分３４ｂとの間にスライド自在に挟持される。例えばボトム８上に横臥したユーザがリモコン装置１２を略水平方向に手等で押すことにより、リモコン装置１２は、サイドレール６に対する姿勢（例えばＺ軸方向に延びる鉛直姿勢）を保持したまま、レール６ａに沿って略水平方向にスライドするようになる。また、リモコン装置１２はフック部３４にてレール６ａに固定されるので、ユーザの握り拳９３（後述する図６Ｂ参照）又は手の甲等で操作した力を第１の操作部４０及び第２の操作部４２，４４（後述する）の各々に適切に伝えることができる。
【００３１】
また、図４に示すように、リモコン２０の背面２０ｂにおいて、リモコン２０の幅方向（Ｘ軸方向）における両端部にはそれぞれ一対の凹部３６ａ，３６ｂが形成されている。一対の凹部３６ａ，３６ｂの各々は、リモコン２０の長さ方向（Ｚ軸方向）に沿って延びている。
【００３２】
［１−２−２．リモコン補助具の構成］
次に、図２〜図８を参照しながら、リモコン補助具２２の構成について説明する。図２〜図３及び図５に示すように、リモコン補助具２２は、取付部３８、第１の操作部４０及び第２の操作部４２，４４を有している。リモコン補助具２２は、例えば樹脂等で形成されている。なお、リモコン補助具２２は、特定のメーカー製のリモコン２０にのみ対応可能な専用品であってもよく、あるいは、どのメーカー製のリモコン２０にも対応可能な汎用品であってもよい。
【００３３】
取付部３８は、リモコン２０に着脱自在に取り付けられる。取付部３８は、装着部４６と、装着部４６の幅方向（Ｘ軸方向）における両端部からそれぞれ略垂直に延びる一対の脚部４８，５０と、一対の脚部４８，５０の各々の先端部からそれぞれ略垂直に延びる一対の爪部５２，５４とを有している。図２及び図８に示すように、装着部４６は、リモコン２０の操作面２０ａから約１ｍｍ程度離隔した状態で、操作面２０ａの一部を覆うように装着される。図４及び図８に示すように、一対の脚部４８，５０はそれぞれ、リモコン２０を両側から抱きかかえるように配置される。図４及び図８に示すように、一対の爪部５２，５４はそれぞれ、一対の凹部３６ａ，３６ｂに引っ掛かるように配置される。
【００３４】
図５に示すように、装着部４６及び一対の脚部４８，５０の各々には、第１の操作部４０及び第２の操作部４２，４４を配置するための略矩形状の開口部５６が形成されている。なお、第２の操作部４２、第１の操作部４０及び第２の操作部４４は、この順に、取付部３８の幅方向（Ｘ軸方向）に対して略垂直な方向に隣接して配置されている。
【００３５】
装着部４６の裏面（操作面２０ａと対向する面）には、軸５８（第１の軸及び第２の軸）の両端部をそれぞれ固定するための一対の軸孔６０，６２が設けられている。なお、軸５８は、第１の操作部４０及び第２の操作部４２，４４をそれぞれ揺動自在に支持するためのものであり、取付部３８の幅方向に対して略垂直な方向に延びている。
【００３６】
装着部４６の電源ボタン２４ａ及び切換ボタン２４ｂに対応する部位にはそれぞれ、略矩形状の窓孔６４，６６が形成されている。図２及び図８に示すように、電源ボタン２４ａは、窓孔６４を通して装着部４６の外部に露出されている。これにより、指先９５を窓孔６４に挿入することにより電源ボタン２４ａを押圧することができる。
【００３７】
なお、図２、図３及び図８に示すように、窓孔６６には、窓孔６６を閉塞するための略矩形状の閉塞部材６８が着脱自在に取り付けられている。閉塞部材６８の一端部には、切換ボタン２４ｂに着脱自在に嵌め込まれるキャップ部６８ａが形成され、閉塞部材６８の他端部には、窓孔６６に着脱自在に埋め込まれる埋め込み部６８ｂが形成されている。このように窓孔６６が閉塞部材６８により閉塞されているので、指先９５を窓孔６６に挿入することができず、切換ボタン２４ｂの押圧が規制される。なお、本実施の形態では、閉塞部材６８を窓孔６６に取り付けたが、窓孔６４に取り付けてもよく、あるいは、窓孔６４，６６の両方にそれぞれ取り付けてもよい。
【００３８】
図２及び図３に示すように、第１の操作部４０は、板状に形成され、足上昇ボタン２４ｅ及び足下降ボタン２４ｆに対向するようにして取付部３８の開口部５６に配置されている。図５〜図６Ｂに示すように、第１の操作部４０の裏面（操作面２０ａと対向する面）には、軸５８を回転自在に支持するための軸孔７０が設けられている。これにより、第１の操作部４０は、軸５８を中心に取付部３８に揺動自在に支持されている。なお、軸５８は、第１の操作部４０の幅方向（Ｘ軸方向）に対して略垂直な方向に延び、第１の操作部４０の幅方向における中央部に配置されている。さらに、第１の操作部４０の幅方向における両端部はそれぞれ、取付部３８の幅方向における両端部よりも内側に配置されている。
【００３９】
図６Ａ及び図６Ｂに示すように、第１の操作部４０の裏面には、さらに、一対の第１の押圧部７２，７４が設けられている。一対の第１の押圧部７２，７４の各々は、略半円形状の板状（いわゆる蒲鉾状）に形成されている。一対の第１の押圧部７２，７４はそれぞれ、第１の操作部４０の幅方向に間隔を置いて配置され、第１の操作部４０の裏面から足上昇ボタン２４ｅ及び足下降ボタン２４ｆに向けて突出している。
【００４０】
第１の操作部４０の表面（操作面２０ａと反対側の面）には、第１の操作部４０の幅方向に厚みを有する板状のレバー部７６が設けられている。レバー部７６は、第１の操作部４０の幅方向における中央部に配置され、第１の操作部４０の表面から略垂直に起立（突出）している。なお、レバー部７６及び軸５８の各々は、一対の第１の押圧部７２，７４の中間部に配置されている。
【００４１】
なお、図２及び図５に示すように、第１の操作部４０の表面には、マーク７８ａ，７８ｂが印刷されている。マーク７８ａ，７８ｂにはそれぞれ、足上昇ボタン２４ｅ及び足下降ボタン２４ｆの各機能を示す文字等が表示されている。マーク７８ａ，７８ｂにそれぞれ表示されている文字等の全体の大きさは、視認性を高めるために、リモコン２０の操作面２０ａに表示されている文字（図２参照）の大きさよりも大きく構成されている。マーク７８ａは、第１の操作部４０の幅方向における一端部（足上昇ボタン２４ｅ側の端部）に配置され、マーク７８ｂは、第１の操作部４０の幅方向における他端部（足下降ボタン２４ｆ側の端部）に配置されている。さらに、図２及び図５に示すように、レバー部７６の両面にもそれぞれマーク７８ａ，７８ｂが印刷されている。マーク７８ｂは、レバー部７６の一方の面（足上昇ボタン２４ｅ側の面）に配置され、マーク７８ａは、レバー部７６の他方の面（足下降ボタン２４ｆ側の面）に配置されている。
【００４２】
図２及び図３に示すように、第２の操作部４２は、横長の板状に形成され、頭／背足連動上昇ボタン２４ｃ及び頭／背足連動下降ボタン２４ｄに対向するようにして取付部３８の開口部５６に配置されている。図５、図７Ａ及び図７Ｂに示すように、第２の操作部４２の裏面（操作面２０ａと対向する面）には、軸５８を回転自在に支持するための軸孔８０が設けられている。これにより、第２の操作部４２は、軸５８を中心に取付部３８に揺動自在に支持されている。なお、軸５８は、第２の操作部４２の幅方向（Ｘ軸方向）に対して略垂直な方向に延び、第２の操作部４２の幅方向における中央部に配置されている。さらに、第２の操作部４２の幅方向における両端部はそれぞれ、取付部３８の幅方向における両端部よりも外側に配置されている。
【００４３】
図７Ａ及び図７Ｂに示すように、第２の操作部４２の裏面には、さらに、一対の第２の押圧部８２，８４が設けられている。一対の第２の押圧部８２，８４の各々は、略半円形状の板状（いわゆる蒲鉾状）に形成されている。一対の第２の押圧部８２，８４はそれぞれ、第２の操作部４２の幅方向に間隔を置いて配置されており、第２の操作部４２の裏面から頭／背足連動上昇ボタン２４ｃ及び頭／背足連動下降ボタン２４ｄに向けて突出している。なお、軸５８は、一対の第２の押圧部８２，８４の中間部に配置されている。
【００４４】
なお、図２及び図５に示すように、第２の操作部４２の表面には、マーク８６ａ，８６ｂが印刷されている。マーク８６ａ，８６ｂにはそれぞれ、頭／背足連動上昇ボタン２４ｃ及び頭／背足連動下降ボタン２４ｄの各機能を示す文字等が表示されている。マーク８６ａ，８６ｂにそれぞれ表示されている文字等の全体の大きさは、視認性を高めるために、リモコン２０の操作面２０ａに表示されている文字の大きさよりも大きく構成されている。マーク８６ａは、第２の操作部４２の幅方向における一端部（頭／背足連動上昇ボタン２４ｃ側の端部）に配置され、マーク８６ｂは、第２の操作部４２の幅方向における他端部（頭／背足連動下降ボタン２４ｄ側の端部）に配置されている。
【００４５】
図２及び図３に示すように、第２の操作部４４は、横長の板状に形成され、高さ上昇ボタン２４ｇ及び高さ下降ボタン２４ｈに対向するようにして取付部３８の開口部５６に配置されている。図５に示すように、第２の操作部４４の裏面（操作面２０ａと対向する面）には、軸５８を回転自在に支持するための軸孔８８が設けられている。これにより、第２の操作部４４は、軸５８を中心に取付部３８に揺動自在に支持されている。なお、軸５８は、第２の操作部４４の幅方向（Ｘ軸方向）に対して略垂直な方向に延び、第２の操作部４４の幅方向における中央部に配置されている。第２の操作部４４の幅方向における両端部はそれぞれ、取付部３８の幅方向における両端部よりも外側に配置されている。
【００４６】
図７Ａ及び図７Ｂに示すように、第２の操作部４４の裏面には、さらに、一対の第２の押圧部９０，９２が設けられている。一対の第２の押圧部９０，９２の各々は、略半円形状の板状（いわゆる蒲鉾状）に形成されている。一対の第２の押圧部９０，９２はそれぞれ、第２の操作部４４の幅方向に間隔を置いて配置され、第２の操作部４４の裏面から高さ上昇ボタン２４ｇ及び高さ下降ボタン２４ｈに向けて突出している。なお、軸５８は、一対の第２の押圧部９０，９２の中間部に配置されている。
【００４７】
なお、図２及び図５に示すように、第２の操作部４４の表面には、マーク９４ａ，９４ｂが印刷されている。マーク９４ａ，９４ｂにはそれぞれ、高さ上昇ボタン２４ｇ及び高さ下降ボタン２４ｈの各機能を示す文字等が表示されている。マーク９４ａ，９４ｂにそれぞれ表示されている文字等の全体の大きさは、視認性を高めるために、リモコン２０の操作面２０ａに表示されている文字の大きさよりも大きく構成されている。マーク９４ａは、第２の操作部４４の幅方向における一端部（高さ上昇ボタン２４ｇ側の端部）に配置され、マーク９４ｂは、第２の操作部４４の幅方向における他端部（高さ下降ボタン２４ｈ側の端部）に配置されている。
【００４８】
［１−３．リモコン装置の操作方法］
次に、図６Ａ〜図８を参照しながら、リモコン装置１２の操作方法について説明する。
【００４９】
［１−３−１．第１の操作部の操作方法］
まず、図６Ａ及び図６Ｂを参照しながら、第１の操作部４０の操作方法について説明する。図６Ａに示すように、第１の操作部４０に力が加えられていない状態では、第１の操作部４０は、リモコン２０の操作面２０ａと略平行に配置されている。このとき、第１の押圧部７２，７４はそれぞれ足上昇ボタン２４ｅ及び足下降ボタン２４ｆに接触しているが、足上昇ボタン２４ｅ及び足下降ボタン２４ｆの各々は押圧されていない。
【００５０】
図６Ｂに示すように、例えば身体の不自由なユーザが足上昇ボタン２４ｅを押圧しようとする場合には、ユーザは、握り拳９３又は手の甲等をレバー部７６の他方の面に押し当てる。これにより、第１の操作部４０は、軸５８を中心に図６Ｂにおいて時計方向に揺動するようになる。このとき、軸５８を支点、レバー部７６を力点、第１の押圧部７２を作用点とする梃子の原理により、第１の押圧部７２が足上昇ボタン２４ｅを押圧するとともに、第１の押圧部７４が足下降ボタン２４ｆから離隔する。
【００５１】
なお、ユーザがレバー部７６から手を放した際には、第１の操作部４０は、足上昇ボタン２４ｅが元の位置に復帰しようとする力を受けて、軸５８を中心に図６Ｂにおいて反時計方向に揺動する。これにより、図６Ａに示すように、第１の操作部４０は、再びリモコン２０の操作面２０ａと略平行に配置される。
【００５２】
一方、例えばユーザが足下降ボタン２４ｆを押圧しようとする場合には、ユーザは、握り拳９３又は手の甲等をレバー部７６の一方の面に押し当てる。これにより、第１の操作部４０は、軸５８を中心に図６Ｂにおいて反時計方向に揺動するようになる。このとき、軸５８を支点、レバー部７６を力点、第１の押圧部７４を作用点とする梃子の原理により、第１の押圧部７４が足下降ボタン２４ｆを押圧するとともに、第１の押圧部７２が足上昇ボタン２４ｅから離隔する。
【００５３】
なお、第１の操作部４０の操作に連動して、第１の操作部４０の表面に付された背景色（操作面２０ａに付された足上昇ボタン２４ｅ及び足下降ボタン２４ｆの背景色）と同じ色を表示部３２の背景色として表示させてもよい。例えば、第１の操作部４０の表面に緑色の背景色が付されている場合には、第１の操作部４０を操作した際に、表示部３２に緑色の背景色が表示される。これにより、ユーザは、第１の操作部４０を操作したことを直感的に知ることができる。
【００５４】
［１−３−２．第２の操作部の操作方法］
次に、図７Ａ及び図７Ｂを参照しながら、第２の操作部４２の操作方法について説明する。図７Ａに示すように、第２の操作部４２に力が加えられていない状態では、第２の操作部４２は、リモコン２０の操作面２０ａと略平行に配置されている。このとき、第２の押圧部８２，８４はそれぞれ頭／背足連動上昇ボタン２４ｃ及び頭／背足連動下降ボタン２４ｄに接触しているが、頭／背足連動上昇ボタン２４ｃ及び頭／背足連動下降ボタン２４ｄの各々は押圧されていない。
【００５５】
図７Ｂに示すように、例えばユーザが頭／背足連動上昇ボタン２４ｃを押圧しようとする場合には、ユーザは、握り拳９３又は手の甲等を第２の操作部４２の幅方向における一端部に押し当てる。これにより、第２の操作部４２は、軸５８を中心に図７Ｂにおいて時計方向に揺動するようになる。このとき、軸５８を支点、第２の操作部４２の幅方向における一端部を力点、第２の押圧部８２を作用点とする梃子の原理により、第２の押圧部８２が頭／背足連動上昇ボタン２４ｃを押圧するとともに、第２の押圧部８４が頭／背足連動下降ボタン２４ｄから離隔する。
【００５６】
なお、ユーザが第２の操作部４２から手を放した際には、第２の操作部４２は、頭／背足連動上昇ボタン２４ｃが元の位置に復帰しようとする力を受けて、軸５８を中心に図７Ｂにおいて反時計方向に揺動する。これにより、図７Ａに示すように、第２の操作部４２は、再びリモコン２０の操作面２０ａと略平行に配置される。
【００５７】
一方、例えばユーザが頭／背足連動下降ボタン２４ｄを押圧しようとする場合には、ユーザは、握り拳９３又は手の甲等を第２の操作部４２の幅方向における他端部に押し当てる。これにより、第２の操作部４２は、軸５８を中心に図７Ｂにおいて反時計方向に揺動するようになる。このとき、軸５８を支点、第２の操作部４２の幅方向における他端部を力点、第２の押圧部８４を作用点とする梃子の原理により、第２の押圧部８４が頭／背足連動下降ボタン２４ｄを押圧するとともに、第２の押圧部８２が頭／背足連動上昇ボタン２４ｃから離隔する。
【００５８】
なお、第２の操作部４２の操作に連動して、第２の操作部４２の表面に付された背景色（操作面２０ａに付された頭／背足連動上昇ボタン２４ｃ及び頭／背足連動下降ボタン２４ｄの背景色）と同じ色を表示部３２の背景色として表示させてもよい。例えば、第２の操作部４２の表面に赤色の背景色が付されている場合には、第２の操作部４２を操作した際に、表示部３２に赤色の背景色が表示される。これにより、ユーザは、第２の操作部４２を操作したことを直感的に知ることができる。
【００５９】
なお、第２の操作部４４の操作方法については、上述した第２の操作部４２の操作方法と同様であるので、説明を省略する。
【００６０】
上述と同様に、第２の操作部４４の操作に連動して、第２の操作部４４の表面に付された背景色（操作面２０ａに付された高さ上昇ボタン２４ｇ及び高さ下降ボタン２４ｈの背景色）と同じ色を表示部３２の背景色として表示させてもよい。例えば、第２の操作部４４の表面に青色の背景色が付されている場合には、第２の操作部４４を操作した際に、表示部３２に青色の背景色が表示される。これにより、ユーザは、第２の操作部４４を操作したことを直感的に知ることができる。
【００６１】
［１−３−３．電源ボタン２４ａの押圧方法］
次に、図８を参照しながら、電源ボタン２４ａの押圧方法について説明する。図８に示すように、電源ボタン２４ａは、窓孔６４を通して装着部４６の外部に露出されている。これにより、ユーザが指先９５を窓孔６４に挿入することにより、指先９５で電源ボタン２４ａを押圧することができる。このとき、窓孔６４により指先９５を電源ボタン２４ａまでガイドすることができる。
【００６２】
なお、図８に示すように、窓孔６６には閉塞部材６８が取り付けられているので、ユーザは指先９５を窓孔６６に挿入することができず、切換ボタン２４ｂの押圧が規制される。
【００６３】
［１−４．効果等］
上述したように、本実施の形態のリモコン補助具２２は、操作ボタン２４ａ〜２４ｈを有するリモコン２０の操作を補助するためのものである。リモコン補助具２２は、リモコン２０に着脱自在に取り付けられる取付部３８と、その幅方向に対して略垂直な方向に延びる軸５８を中心に、取付部３８に揺動自在に支持された第１の操作部４０と、第１の操作部４０の裏面から突出し、第１の操作部４０が揺動した際に足上昇ボタン２４ｅ（足下降ボタン２４ｆ）を押圧するための第１の押圧部７２（７４）と、第１の操作部４０の表面から起立するレバー部７６と、を備える。
【００６４】
この構成によれば、レバー部７６が第１の操作部４０の表面から起立しているので、第１の操作部４０を操作する際には、レバー部７６の面に力を加えればよい。これにより、第１の操作部４０が軸５８を中心に揺動するので、足上昇ボタン２４ｅが第１の押圧部７２により押圧（又は足下降ボタン２４ｆが第１の押圧部７４により押圧）される。したがって、例えば身体の不自由なユーザが第１の操作部４０を操作する場合であっても、ユーザは、握り拳９３又は手の甲等をレバー部７６の面に容易に押し当てることができるので、リモコン補助具２２の操作性を高めることができる。
【００６５】
さらに、第１の操作部４０の幅方向における両端部はそれぞれ、取付部３８の幅方向における両端部よりも内側に配置されている。
【００６６】
この構成によれば、例えばユーザが握り拳９３又は手の甲等を第２の操作部４２の幅方向における一端部（又は他端部）に押し当てた際に、握り拳９３又は手の甲等が第１の操作部４０の幅方向における一端部（又は他端部）にぶつかるのを抑制することができる。その結果、第１の操作部４０の操作ミスを抑制することができる。
【００６７】
さらに、一対の第１の押圧部７２，７４は、第１の操作部４０の幅方向に間隔を置いて配置されている。軸５８及びレバー部７６の各々は、一対の第１の押圧部７２，７４の間に配置されている。
【００６８】
この構成によれば、例えばレバー部７６の他方の面（又は一方の面）に力を加えた際に、軸５８を支点、レバー部７６を力点、第１の押圧部７２を作用点（又は第１の押圧部７４を作用点）とする梃子の原理により、第１の押圧部７２が足上昇ボタン２４ｅを押圧（又は第１の押圧部７４が足下降ボタン２４ｆを押圧）するようになる。このように梃子の原理を利用することにより、第１の操作部４０を小さい力で容易に操作することができる。
【００６９】
さらに、レバー部７６は、第１の操作部４０の幅方向に厚みを有する板状に形成されている。
【００７０】
この構成によれば、例えばユーザが握り拳９３又は手の甲等をレバー部７６の面に容易に押し当てることができる。
【００７１】
さらに、リモコン補助具２２は、さらに、その幅方向に対して略垂直な方向に延びる軸５８を中心に、取付部３８に揺動自在に支持された第２の操作部４２と、第２の操作部４２の裏面から突出し、第２の操作部４２が揺動した際に頭／背足連動上昇ボタン２４ｃ（頭／背足連動下降ボタン２４ｄ）を押圧するための第２の押圧部８２（８４）と、を備える。第２の操作部４２の幅方向における両端部はそれぞれ、取付部３８の幅方向における両端部よりも外側に配置されている。
【００７２】
この構成によれば、例えばユーザが握り拳９３又は手の甲等を第２の操作部４２の幅方向における一端部（又は他端部）に押し当てた際に、第２の操作部４２は、軸５８を中心に揺動するようになる。これにより、頭／背足連動上昇ボタン２４ｃが第２の押圧部８２により押圧（又は頭／背足連動下降ボタン２４ｄが第２の押圧部８４により押圧）される。第２の操作部４２の幅方向における両端部はそれぞれ取付部３８の幅方向における両端部よりも外側に配置されているので、ユーザは、握り拳９３又は手の甲等を第２の操作部４２の幅方向における一端部（又は他端部）に容易に押し当てることができる。その結果、リモコン補助具２２の操作性を高めることができる。
【００７３】
さらに、第１の操作部４０及び第２の操作部４２（４４）は、取付部３８の幅方向に対して略垂直な方向に隣接して配置されている。
【００７４】
この構成によれば、操作方法の異なる第１の操作部４０と第２の操作部４２（４４）とが隣接して配置されているので、例えばユーザが握り拳９３又は手の甲等をレバー部７６の一方の面に押し当てようとした際に、握り拳９３又は手の甲等が第２の操作部４２（４４）の幅方向における一端部にぶつかるのが抑制される。その結果、第１の操作部４０及び第２の操作部４２，４４の操作ミスを抑制することができる。
【００７５】
さらに、取付部３８は、リモコン２０に取り付けられた際に、電源ボタン２４ａ及び切換ボタン２４ｂをそれぞれ取付部３８の外部に露出させるための窓孔６４，６６を有する。
【００７６】
この構成によれば、ユーザは、例えば指先９５を窓孔６４に挿入することにより、指先９５で電源ボタン２４ａを押圧することができる。このとき、例えばパーキンソン病を患うユーザが電源ボタン２４ａを押圧しようとする際には、震える指先９５を窓孔６４により電源ボタン２４ａまでガイドすることができる。
【００７７】
さらに、リモコン補助具２２は、さらに、窓孔６６に着脱自在に取り付けられ、窓孔６６を閉塞するための閉塞部材６８を備える。
【００７８】
この構成によれば、例えば認知症を患うユーザが切換ボタン２４ｂを押圧するのを規制したい場合等に、窓孔６６に閉塞部材６８を取り付けることにより、ユーザが指先９５を窓孔６６に挿入するのを規制することができる。
【００７９】
さらに、リモコン装置１２は、操作面２０ａに操作ボタン２４ａ〜２４ｈが配置されたリモコン２０と、リモコン２０に着脱自在に取り付けられた、上述したリモコン補助具２２と、を備える。
【００８０】
この構成によれば、上述したように、リモコン装置１２の操作性を高めることができる。
【００８１】
さらに、リモコン２０の操作面２０ａと反対側の背面２０ｂにおいて、リモコン２０の幅方向における両端部にはそれぞれ一対の凹部３６ａ，３６ｂが形成されている。リモコン補助具２２の取付部３８は、リモコン２０の操作面２０ａの一部を覆うように装着される装着部４６と、装着部４６の幅方向における両端部からそれぞれリモコン２０を抱きかかえるように延びる一対の脚部４８，５０と、一対の脚部４８，５０の各々の先端部に設けられ、一対の凹部３６ａ，３６ｂに引っ掛かる一対の爪部５２，５４と、を有する。
【００８２】
この構成によれば、リモコン補助具２２をリモコン２０に安定して取り付けることができる。
【００８３】
さらに、電動ベッド２は、ボトム８と、ボトム８の姿勢又は高さを操作するための、上述したリモコン装置１２と、を備える。
【００８４】
この構成によれば、上述したように、操作性の高いリモコン装置１２が付属された電動ベッド２を提供することができる。
【００８５】
さらに、電動ベッド２は、さらに、電動ベッド２の脇に配置され、略水平方向に延びるレール６ａを備える。リモコン２０は、さらに、リモコン２０の操作面２０ａと反対側の背面２０ｂに設けられ、リモコン２０の背面２０ｂとの間でレール６ａをスライド自在に挟持するフック部３４を備える。
【００８６】
この構成によれば、例えばボトム８上に横臥したユーザがリモコン装置１２を略水平方向に手等で押すことにより、リモコン装置１２は、サイドレール６に対する姿勢を保持したまま、レール６ａに沿って略水平方向にスライドするようになる。これにより、ユーザがボトム８上に横臥したままでも、レール６ａに対するリモコン装置１２の位置をユーザの好みの位置に容易に調節することができる。また、リモコン装置１２はフック部３４にてレール６ａに固定されるので、ユーザの握り拳９３又は手の甲等で操作した力を第１の操作部４０及び第２の操作部４２，４４の各々に適切に伝えることができる。
【００８７】
（実施の形態１の変形例１）
次に、図９を参照しながら、実施の形態１の変形例１に係るリモコン装置１２Ａについて説明する。図９は、実施の形態１の変形例１に係るリモコン装置１２Ａを示す斜視図である。なお、以下に示す各変形例において、上記実施の形態１と同一の構成要素には同一の符号を付して、その説明を省略する。
【００８８】
図９に示すように、本変形例のリモコン装置１２Ａでは、リモコン補助具２２Ａの構成が上記実施の形態１と異なっている。すなわち、取付部３８Ａの装着部４６Ａには、上記実施の形態１で説明した窓孔６４，６６は形成されていない。取付部３８Ａに形成された開口部５６Ａには、上記実施の形態１で説明した第１の操作部４０及び第２の操作部４２，４４に加えて、第１の操作部９６が配置されている。第１の操作部９６、第２の操作部４２、第１の操作部４０及び第２の操作部４４は、この順に、取付部３８Ａの幅方向に対して略垂直な方向に隣接して配置されている。
【００８９】
第１の操作部９６は、リモコン２０の電源ボタン２４ａ及び切換ボタン２４ｂ（図３参照）に対向するようにして、取付部３８Ａに軸５８（図５参照）を中心に揺動自在に支持されている。第１の操作部９６は、第１の操作部４０と同様に構成されている。すなわち、第１の操作部９６の表面にはレバー部９８が設けられ、第１の操作部９６の裏面には一対の第１の押圧部（図示せず）が設けられている。一対の第１の押圧部はそれぞれ、第１の操作部９６の裏面から電源ボタン２４ａ及び切換ボタン２４ｂに向けて突出している。なお、本変形例のリモコン２０の構成は、上記実施の形態１と同様である。
【００９０】
したがって、本変形例では、上記実施の形態１で説明した第１の操作部４０の操作方法と同様の操作方法で第１の操作部９６を操作することにより、電源ボタン２４ａ又は切換ボタン２４ｂを押圧することができる。
【００９１】
（実施の形態１の変形例２）
次に、図１０及び図１１を参照しながら、実施の形態１の変形例２に係るリモコン装置１２Ｂについて説明する。図１０は、実施の形態１の変形例２に係るリモコン装置１２Ｂを示す斜視図である。図１１は、実施の形態１の変形例２に係るリモコン装置１２Ｂを示す分解斜視図である。
【００９２】
図１１に示すように、本変形例のリモコン装置１２Ｂでは、リモコン２０Ｂの操作ボタンの数及び配置が上記実施の形態１と異なっている。リモコン２０Ｂの操作面２０ａには、２個の操作ボタン、すなわち、頭上昇ボタン２４ｉ及び頭下降ボタン２４ｊが隣接して配置されている。頭上昇ボタン２４ｉは、背ボトム８ａを起こすための操作ボタンである。頭下降ボタン２４ｊは、背ボトム８ａを倒すための操作ボタンである。
【００９３】
さらに、図１０及び図１１に示すように、本変形例のリモコン装置１２Ｂでは、リモコン補助具２２Ｂの操作部の数及び配置が上記実施の形態１と異なっている。取付部３８Ｂに形成された開口部５６Ｂには、１個の操作部、すなわち、第１の操作部１０２が配置されている。第１の操作部１０２は、頭上昇ボタン２４ｉ及び頭下降ボタン２４ｊに対向するようにして、取付部３８Ｂに軸５８（図５参照）を中心に揺動自在に支持されている。第１の操作部１０２は、上記実施の形態１で説明した第１の操作部４０と同様に構成されている。すなわち、第１の操作部１０２の表面にはレバー部１０４が設けられ、第１の操作部１０２の裏面には一対の第１の押圧部（図示せず）が設けられている。一対の第１の押圧部はそれぞれ、第１の操作部１０２の裏面から頭上昇ボタン２４ｉ及び頭下降ボタン２４ｊに向けて突出している。
【００９４】
したがって、本変形例では、上記実施の形態１で説明した第１の操作部４０の操作方法と同様の操作方法で第１の操作部１０２を操作することにより、頭上昇ボタン２４ｉ又は頭下降ボタン２４ｊを押圧することができる。
【００９５】
（実施の形態１の変形例３）
次に、図１２及び図１３を参照しながら、実施の形態１の変形例３に係るリモコン装置１２Ｃについて説明する。図１２は、実施の形態１の変形例３に係るリモコン装置１２Ｃを示す斜視図である。図１３は、実施の形態１の変形例３に係るリモコン装置１２Ｃを示す分解斜視図である。
【００９６】
図１３に示すように、本変形例のリモコン装置１２Ｃでは、リモコン２０Ｃの操作ボタンの数及び配置が上記実施の形態１と異なっている。リモコン２０Ｃの操作面２０ａには、４個の操作ボタン、すなわち、頭上昇ボタン２４ｉ、頭下降ボタン２４ｊ、高さ上昇ボタン２４ｇ及び高さ下降ボタン２４ｈが格子状に配置されている。
【００９７】
さらに、図１２及び図１３に示すように、本変形例のリモコン装置１２Ｃでは、リモコン補助具２２Ｃの操作部の数及び配置が上記実施の形態１と異なっている。取付部３８Ｃに形成された開口部５６Ｃには、２個の操作部、すなわち、第１の操作部１０２及び第２の操作部１０６が配置されている。第２の操作部１０６は、高さ上昇ボタン２４ｇ及び高さ下降ボタン２４ｈに対向するようにして、取付部３８Ｃに軸５８（図５参照）を中心に揺動自在に支持されている。第２の操作部１０６は、上記実施の形態１で説明した第２の操作部４４と同様に構成されている。すなわち、第２の操作部１０６の裏面には一対の第２の押圧部（図示せず）が設けられている。一対の第２の押圧部はそれぞれ、第２の操作部１０６の裏面から高さ上昇ボタン２４ｇ及び高さ下降ボタン２４ｈに向けて突出している。
【００９８】
したがって、本変形例では、上記実施の形態１で説明した第１の操作部４０の操作方法と同様の操作方法で第１の操作部１０２を操作することにより、頭上昇ボタン２４ｉ又は頭下降ボタン２４ｊを押圧することができる。さらに、上記実施の形態１で説明した第２の操作部４２，４４の操作方法と同様の操作方法で第２の操作部１０６を操作ことにより、高さ上昇ボタン２４ｇ又は高さ下降ボタン２４ｈを押圧することができる。
【００９９】
（実施の形態１の変形例４）
次に、図１４及び図１５を参照しながら、実施の形態１の変形例４に係るリモコン装置１２Ｄについて説明する。図１４は、実施の形態１の変形例４に係るリモコン装置１２Ｄを示す斜視図である。図１５は、実施の形態１の変形例４に係るリモコン装置１２Ｄを示す分解斜視図である。
【０１００】
図１５に示すように、本変形例のリモコン装置１２Ｄでは、リモコン２０Ｄの操作ボタンの数及び配置が上記実施の形態１と異なっている。リモコン２０Ｄの操作面２０ａには、６個の操作ボタン、すなわち、足上昇ボタン２４ｅ、足下降ボタン２４ｆ、頭上昇ボタン２４ｉ、頭下降ボタン２４ｊ、高さ上昇ボタン２４ｇ及び高さ下降ボタン２４ｈが格子状に配置されている。
【０１０１】
さらに、図１４及び図１５に示すように、本変形例のリモコン装置１２Ｄでは、リモコン補助具２２Ｄの操作部の数及び配置が上記実施の形態１と異なっている。取付部３８Ｄに形成された開口部５６Ｄには、３個の操作部、すなわち、第１の操作部１０２及び第２の操作部１０６，１０８が配置されている。第２の操作部１０８は、足上昇ボタン２４ｅ及び足下降ボタン２４ｆに対向するようにして、取付部３８Ｄに軸５８（図５参照）を中心に揺動自在に支持されている。第２の操作部１０８は、上記実施の形態１で説明した第２の操作部４２と同様に構成されている。すなわち、第２の操作部１０８の裏面には一対の第２の押圧部（図示せず）が設けられている。一対の第２の押圧部はそれぞれ、第２の操作部１０８の裏面から足上昇ボタン２４ｅ及び足下降ボタン２４ｆに向けて突出している。
【０１０２】
したがって、本変形例では、上記実施の形態１で説明した第１の操作部４０の操作方法と同様の操作方法で第１の操作部１０２を操作することにより、頭上昇ボタン２４ｉ又は頭下降ボタン２４ｊを押圧することができる。また、上記実施の形態１で説明した第２の操作部４２，４４の操作方法と同様の操作方法で第２の操作部１０６を操作することにより、高さ上昇ボタン２４ｇ又は高さ下降ボタン２４ｈを押圧することができる。さらに、上記実施の形態１で説明した第２の操作部４２，４４の操作方法と同様の操作方法で第２の操作部１０８を操作することにより、足上昇ボタン２４ｅ又は足下降ボタン２４ｆを押圧することができる。
【０１０３】
（実施の形態２）
次に、図１６及び図１７を参照しながら、実施の形態２に係るリモコン装置１２Ｅについて説明する。図１６は、実施の形態２に係るリモコン装置１２Ｅを示す斜視図である。図１７は、実施の形態２に係るリモコン装置１２Ｅを示す分解斜視図である。なお、本実施の形態において、上記実施の形態１と同一の構成要素には同一の符号を付して、その説明を省略する。
【０１０４】
図１６及び図１７に示すように、本変形例のリモコン装置１２Ｅでは、リモコン補助具２２Ｅの構成が上記実施の形態１と異なっている。なお、本実施の形態のリモコン２０の構成は、上記実施の形態１と同様である。取付部３８Ｅの装着部４６Ｅの操作ボタン２４ａ〜２４ｈに対応する部位にはそれぞれ、略矩形状の複数の窓孔１１０ａ〜１１０ｈが形成されている。操作ボタン２４ｂ〜２４ｈはそれぞれ、窓孔１１０ｂ〜１１０ｈを通して装着部４６Ｅの外部に露出されている。これにより、ユーザが指先９５（図８参照）を窓孔１１０ｂ〜１１０ｈにそれぞれ挿入することによって、操作ボタン２４ｂ〜２４ｈを押圧することができる。したがって、例えばパーキンソン病を患うユーザが切換ボタン２４ｂを押圧しようとする際に、震える指先９５を窓孔１１０ｂにより切換ボタン２４ｂまでガイドすることができる。
【０１０５】
さらに、窓孔１１０ａには、窓孔１１０ａを閉塞するための略矩形状の閉塞部材６８が着脱自在に取り付けられている。これにより、例えば認知症を患うユーザが電源ボタン２４ａを押圧するのを規制したい場合等に、窓孔１１０ａに閉塞部材６８を取り付けることにより、ユーザが指先９５を窓孔１１０ａに挿入するのを規制することができる。
【０１０６】
なお、本実施の形態では、窓孔１１０ａに閉塞部材６８を取り付けたが、窓孔１１０ａ〜１１０ｈのうち任意の窓孔に閉塞部材６８を取り付けてもよい。
【０１０７】
（変形例等）
以上、本発明について実施の形態１、実施の形態１の変形例１〜４及び実施の形態２に基づいて説明したが、本発明は、上記の実施の形態１、実施の形態１の変形例１〜４及び実施の形態２に限定されるものではない。
【０１０８】
例えば、上記各実施の形態等では、リモコン２０（２０Ｂ〜２０Ｄ）を通信ケーブル１８を介して調節機構１０と接続したが、これに限定されず、例えば赤外線接続等によりリモコン２０（２０Ｂ〜２０Ｄ）を無線で調節機構１０と接続してもよい。
【０１０９】
また、上記各実施の形態等では、リモコン２０の背面２０ｂにフック部３４を取り付けたが、このフック部３４を着脱自在としてもよい。これにより、例えばリモコン装置１２（１２Ａ〜１２Ｅ）の用途等に応じて、フック部３４を異なる形状の他のフック部（図示せず）と交換することができる。
【０１１０】
また、上記実施の形態１では、第１の操作部４０を支持する第１の軸と第２の操作部４２，４４をそれぞれ支持する第２の軸とを同一の軸５８で構成したが、これに限定されず、第１の軸と第２の軸とを異なる軸で構成してもよい。この場合、第１の軸は、第２の軸に対して略平行に延びるようになる。なお、このことは、実施の形態１の変形例１〜４についても同様に適用することができる。
【０１１１】
また、上記各実施の形態等では、リモコン装置１２（１２Ａ〜１２Ｅ）によりボトム８の姿勢及び高さを操作するようにしたが、これに限定されず、例えばボトム８の姿勢及び高さのうち一方のみを操作するようにしてもよい。
【０１１２】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１１３】
２  電動ベッド
６ａ  レール
８  ボトム
１２，１２Ａ，１２Ｂ，１２Ｃ，１２Ｄ，１２Ｅ  リモコン装置
２０，２０Ｂ，２０Ｃ，２０Ｄ  リモコン
２０ａ  操作面
２０ｂ  背面
２２，２２Ａ，２２Ｂ，２２Ｃ，２２Ｄ，２２Ｅ  リモコン補助具
２４ａ  電源ボタン（操作ボタン）
２４ｂ  切換ボタン（操作ボタン）
２４ｃ  頭／背足連動上昇ボタン（操作ボタン）
２４ｄ  頭／背足連動下降ボタン（操作ボタン）
２４ｅ  足上昇ボタン（操作ボタン）
２４ｆ  足下降ボタン（操作ボタン）
２４ｇ  高さ上昇ボタン（操作ボタン）
２４ｈ  高さ下降ボタン（操作ボタン）
２４ｉ  頭上昇ボタン（操作ボタン）
２４ｊ  頭下降ボタン（操作ボタン）
３４  フック部
３６ａ，３６ｂ  凹部
３８，３８Ａ，３８Ｂ，３８Ｃ，３８Ｄ，３８Ｅ  取付部
４０，９６，１０２  第１の操作部
４２，４４，１０６，１０８  第２の操作部
４６，４６Ａ，４６Ｅ  装着部
４８，５０  脚部
５２，５４  爪部
５８  軸（第１の軸及び第２の軸）
６４，６６，１１０ａ，１１０ｂ，１１０ｃ，１１０ｄ，１１０ｅ，１１０ｆ，１１０ｇ，１１０ｈ  窓孔
６８  閉塞部材
７２，７４  第１の押圧部
７６，９８，１０４  レバー部
８２，８４，９０，９２  第２の押圧部
【図１】
2016095989.tif 000003
【図２】
2016095989.tif 000004
【図３】
2016095989.tif 000005
【図４】
2016095989.tif 000006
【図５】
2016095989.tif 000007
【図６Ａ】
2016095989.tif 000008
【図６Ｂ】
2016095989.tif 000009
【図７Ａ】
2016095989.tif 000010
【図７Ｂ】
2016095989.tif 000011
【図８】
2016095989.tif 000012
【図９】
2016095989.tif 000013
【図１０】
2016095989.tif 000014
【図１１】
2016095989.tif 000015
【図１２】
2016095989.tif 000016
【図１３】
2016095989.tif 000017
【図１４】
2016095989.tif 000018
【図１５】
2016095989.tif 000019
【図１６】
2016095989.tif 000020
【図１７】
2016095989.tif 000021